(57)【要約】【課題】解像力の高い潜像を形成することが可能な像担持体、それを備える画像形成装置、及び潜像形成方法を提供する。【解決手段】露光されて電荷を発生する電荷発生層１２と、電荷を移動させる電荷輸送層１１と、を備え、電荷発生層１２から発生する電荷によって電荷分布を形成することで表面に潜像が形成される感光ドラム１において、導電性基体１４の上に電荷発生層１２、電荷輸送層１１が順に積層されており、電荷輸送層１１の内部に、発熱させる又は冷却することで、光を透過する透明な状態又は光を透過しない不透明な状態に繰り返し変化させることが可能な熱記録カプセル１５を分散する。【選択図】図１
2009134210.tif 000002
【特許請求の範囲】
【請求項１】
露光されて電荷を発生する電荷発生層と、
電荷を移動させる電荷輸送層と、
を備え、
前記電荷発生層から発生する電荷によって電荷分布を形成することで表面に潜像が形成される像担持体において、
導電性基体の上に前記電荷発生層、前記電荷輸送層が順に積層されており、
前記電荷輸送層の内部には、
発熱させる又は冷却することで、光を透過する透明な状態又は光を透過しない不透明な状態に繰り返し変化させることが可能な熱記録カプセルが分散されていることを特徴とする像担持体。
【請求項２】
露光されて電荷を発生する電荷発生層と、
電荷を移動させる電荷輸送層と、
を備え、
前記電荷発生層から発生する電荷によって電荷分布を形成することで表面に潜像が形成される像担持体において、
発熱させる又は冷却することで、光を透過する透明な状態又は光を透過しない不透明な状態に繰り返し変化させることが可能な熱記録層が設けられており、
透明な基体の上に前記熱記録層、透明な導電層、前記電荷発生層、前記電荷輸送層が順に積層されていることを特徴とする像担持体。
【請求項３】
露光されて電荷を発生する電荷発生層と、
電荷を移動させる電荷輸送層と、
を備え、
前記電荷発生層から発生する電荷によって電荷分布を形成することで表面に潜像が形成される像担持体において、
発熱させる又は冷却することで、光を透過する透明な状態又は光を透過しない不透明な状態に繰り返し変化させることが可能な熱記録層と、
前記電荷輸送層、前記電荷発生層、及び透明な導電層を透過する第１の波長を有する光の少なくとも一部を、前記電荷発生層に吸収される第２の波長を有する光に変換する光波長変換層と、
が設けられており、
基体の上に前記光波長変換層、前記熱記録層、前記透明な導電層、前記電荷発生層、前記電荷輸送層が順に積層されると共に、
前記基体の上面には、前記光波長変換層において波長が変換された第２の波長を有する光、及び前記光波長変換層を透過した第１の波長を有する光を反射する反射手段が形成されていることを特徴とする像担持体。
【請求項４】
前記第１の波長を有する光が前記電荷発生層を透過する際に前記電荷発生層から発生する電荷量よりも、前記第２の波長を有する光が前記電荷発生層に吸収される際に前記電荷発生層から発生する電荷量の方が大きいことを特徴とする請求項３に記載の像担持体。
【請求項５】
前記反射手段は、
前記光波長変換層を透過した前記第１の波長を有する光に対する全反射率が６０％以上であることを特徴とする請求項３または４に記載の像担持体。
【請求項６】
前記反射手段とは、
前記基体の上面に形成される反射面であることを特徴とする請求項３乃至５のいずれか
１項に記載の像担持体。
【請求項７】
前記反射手段とは、
前記基体と前記光波長変換層との間に設けられる反射層であることを特徴とする請求項３乃至６のいずれか１項に記載の像担持体。
【請求項８】
請求項１に記載の像担持体と、
画像情報に基づいて前記熱記録カプセルを、光を透過する透明な状態又は光を透過しない不透明な状態に変化させることで光学マスクを形成するマスク書き込み手段と、
前記像担持体の表面を帯電する帯電部材と、
前記光学マスクを介して前記電荷発生層に光を照射して露光を行う露光部材と、
前記像担持体の表面に形成された静電潜像をトナー像として現像する現像部材と、
前記像担持体の表面に形成されたトナー像をシート材に転写する転写部材と、
を備えることを特徴とする画像形成装置。
【請求項９】
請求項２に記載の像担持体と、
画像情報に基づいて前記熱記録層を、光を透過する透明な状態又は光を透過しない不透明な状態に変化させることで光学マスクを形成するマスク書き込み手段と、
前記像担持体の表面を帯電する帯電部材と、
前記像担持体の内部に備えられ、前記光学マスクを介して前記電荷発生層に光を照射して露光を行う露光部材と、
前記像担持体の表面に形成された静電潜像をトナー像として現像する現像部材と、
前記像担持体の表面に形成されたトナー像をシート材に転写する転写部材と、
を備えることを特徴とする画像形成装置。
【請求項１０】
請求項３乃至７のいずれか１項に記載の像担持体と、
画像情報に基づいて前記熱記録層を、光を透過する透明な状態又は光を透過しない不透明な状態に変化させることで光学マスクを形成するマスク書き込み手段と、
前記像担持体の表面を帯電する帯電部材と、
前記像担持体の外側から前記第１の波長を有する光を照射する露光部材と、
前記像担持体の表面に形成された静電潜像をトナー像として現像する現像部材と、
前記像担持体の表面に形成されたトナー像をシート材に転写する転写部材と、
を備えることを特徴とする画像形成装置。
【請求項１１】
請求項１に記載の像担持体に潜像を形成する潜像形成方法であって、
画像情報に基づいて前記熱記録カプセルを透明な状態、不透明な状態にすることで光学マスクを形成し、
前記電荷輸送層側から前記像担持体を均一に帯電させた後に、
前記光学マスクを介して前記電荷発生層に光を照射して露光を行うことを特徴とする潜像形成方法。
【請求項１２】
請求項２に記載の像担持体に潜像を形成する潜像形成方法であって、
画像情報に基づいて前記熱記録層を透明な状態、不透明な状態にすることで光学マスクを形成し、
前記電荷輸送層側から前記像担持体を均一に帯電させた後に、
前記透明な基体側から前記電荷発生層に前記光学マスクを介して光を照射して露光を行うことを特徴とする潜像形成方法。
【請求項１３】
請求項３乃至７のいずれか１項に記載の像担持体に潜像を形成する潜像形成方法であって、
画像情報に基づいて前記熱記録層を透明な状態、不透明な状態にすることで光学マスクを形成し、
前記電荷輸送層側から前記像担持体を均一に帯電させた後に、
前記電荷輸送層側から前記第１の波長を有する光を照射し、
前記第１の波長を有する光の少なくとも一部を前記光波長変換層において前記第２の波長を有する光に変換し、
変換された前記第２の波長を有する光を前記反射手段で反射させて前記電荷発生層を露光し、
さらに、前記光波長変換層において前記第２の波長を有する光に変換されずに透過した前記第１の波長を有する光を、前記反射手段で反射させて前記光波長変換層に再び入射させ、前記第２の波長を有する光に変換した後、前記電荷発生層を露光することを特徴とする潜像形成方法。
【発明の詳細な説明】
【技術分野】
【０００１】
本発明は、プリンタ、複写機、ファクシミリ等、電子写真方式を利用して画像形成を行う画像形成装置、その画像形成装置に用いられる像担持体、及び潜像形成方法に関する。
【背景技術】
【０００２】
従来、電子写真方式の画像形成装置に用いられる像担持体において、導電性基材上に電荷発生層と電荷輸送層を設け、露光されることで電荷発生層から発生する電荷によって電荷分布を形成することで、表面に潜像を形成するものが広く知られている。さらに、電荷発生層、電荷輸送層の上に、発熱させることで顕色化するサーモクロミック層を積層する像担持体が知られている。このようなサーモクロミック層が積層される像担持体の構成が特許文献１に開示されている。
【０００３】
図１０に、特許文献１に開示される像担持体の断面における概略構成を示す。図１０に示す像担持体は、表層から順にサーモクロミック層１００１、電荷発生層１００２、電荷移動層１００３、導電性基体１００４が設けられる像担持体である。
【０００４】
サーモクロミック層１００１は、透明状態と不透明状態を可逆的にとることができ、電気絶縁性を示す。また、電荷発生層１００２と電荷移動層１００３は、光導電層を形成する。
【０００５】
図１１（ａ）〜（ｅ）を参照して、このような層構造を有する像担持体を用いる画像形成プロセスについて説明を行う。
【０００６】
画像形成プロセスは、まずサーモクロミック層１００１が不透明状態で開始される。そして図１１（ａ）に示すように、不透明状態のサーモクロミック層１００１にサーマルヘッド１００６を接触させる。その後、画像情報に基づいてサーマルヘッド１００６を通電加熱し、この熱によってサーモクロミック層１００１に部分的に透明部分１００７を形成する。この工程により、像担持体の表面には画像情報に基づいた光学マスクが形成される。
【０００７】
次に図１１（ｂ）に示すように、サーモクロミック層１００１上をスコロトロンのコロナ発生器１００８によって均一帯電する。なお、サーモクロミック層１００１は絶縁性なので、コロナ発生器１００８によって均一帯電が行われた際に生じた電荷は、サーモクロミック層１００１で保持される。
【０００８】
サーモクロミック層１００１上が均一に帯電すると、サーモクロミック層１００１と電荷発生層１００２の界面に導電性基体１００４より注入されたホールが到達する。なお、サーモクロミック層１００１と電荷発生層１００２の界面に到達したホールは、電荷移動層１００３内のトラップに捕獲されるので、界面付近に固定されて移動することが出来ない。
【０００９】
次に、図１１（ｃ）に示すように、前の工程とは逆のイオンをスコロトロンのコロナ発生器１００９から、サーモクロミック層１００１上に照射する。
【００１０】
次に、図１１（ｄ）に示すように、サーモクロミック層１００１側から像担持体の表面に露光光１０１０を照射する。すると、光はサーモクロミック層１００１の透明部分１００７を透過し、透明部分１００７に対応する電荷発生層１００２から導電電荷が発生する
。それにより光導電層内部の電荷分布が変化し静電潜像が形成される。なお、潜像を形成する電荷分布は実質的にはサーモクロミック層１００１と電荷発生層１００２の界面に生じる。
【００１１】
次に、図１１（ｅ）に示すように、得られた静電潜像を上記電荷分布と逆極性のトナー１０１１によって現像し、像担持体の表面にトナー像を形成する。
【００１２】
像担持体の表面に形成されたトナー像は、不図示のシート材に転写され、さらに定着器（不図示）で加圧・加熱されることでシート材上に定着される。
【００１３】
上記画像形成プロセスで用いた光学マスクは、画像形成終了後に加熱と徐冷によってサーモクロミック層１００１を全面不透明に戻すことで消去される。なお、同一画像を再度シート材に形成する場合は、画像情報に基づいて一旦形成した光学マスクを複数回使用して露光を行うことで、像担持体の表面に何度でも同じ画像を形成することが可能である。
【００１４】
また、特許文献２には、マスク像を光導電層の上に直接熱転写してパターン露光する構成が開示されている。特許文献２に開示される感光体ドラムも、光学マスク自身は絶縁体であり、パターン露光を行うことでマスク像の下部に電荷分布を形成するという点で、上記で説明した特許文献１に開示される像担持体と同等である。
【特許文献１】特開平１−２２２２６２号公報
【特許文献２】特許第２５５６５８０号公報
【発明の開示】
【発明が解決しようとする課題】
【００１５】
しかしながら、上記従来例では以下に示す問題を生じる。
【００１６】
特許文献１に開示される像担持体は、上記で説明したように、潜像を形成する電荷分布が図１０に示すサーモクロミック層１００１の下部に形成される。そのため、絶縁層であるサーモクロミック層１００１を設けない場合と比較すると、解像力の点で劣るといった課題が生じる。この課題は、特許文献２に開示の感光ドラムにおいても同様に生じるものである。
【００１７】
すなわち、上記で説明した従来の像担持体、または潜像形成方法を用いて画像形成を行う場合、高精細な画像を出力することが困難であった。
【００１８】
本発明は上記現状に鑑みてなされたものであり、解像力の高い潜像を形成することが可能な像担持体、それを備える画像形成装置、及び潜像形成方法を提供することを目的とする。
【課題を解決するための手段】
【００１９】
上記課題を解決するために本発明にあっては、露光されて電荷を発生する電荷発生層と、電荷を移動させる電荷輸送層と、を備え、前記電荷発生層から発生する電荷によって電荷分布を形成することで表面に潜像が形成される像担持体において、導電性基体の上に前記電荷発生層、前記電荷輸送層が順に積層されており、前記電荷輸送層の内部には、発熱させる又は冷却することで、光を透過する透明な状態又は光を透過しない不透明な状態に繰り返し変化させることが可能な熱記録カプセルが分散されていることを特徴とする。
【００２０】
また、露光されて電荷を発生する電荷発生層と、電荷を移動させる電荷輸送層と、を備え、前記電荷発生層から発生する電荷によって電荷分布を形成することで表面に潜像が形成される像担持体において、発熱させる又は冷却することで、光を透過する透明な状態又
は光を透過しない不透明な状態に繰り返し変化させることが可能な熱記録層が設けられており、透明な基体の上に前記熱記録層、透明な導電層、前記電荷発生層、前記電荷輸送層が順に積層されていることを特徴とする。
【００２１】
また、露光されて電荷を発生する電荷発生層と、電荷を移動させる電荷輸送層と、を備え、前記電荷発生層から発生する電荷によって電荷分布を形成することで表面に潜像が形成される像担持体において、発熱させる又は冷却することで、光を透過する透明な状態又は光を透過しない不透明な状態に繰り返し変化させることが可能な熱記録層と、前記電荷輸送層、前記電荷発生層、及び透明な導電層を透過する第１の波長を有する光の少なくとも一部を、前記電荷発生層に吸収される第２の波長を有する光に変換する光波長変換層と、が設けられており、基体の上に前記光波長変換層、前記熱記録層、前記透明な導電層、前記電荷発生層、前記電荷輸送層が順に積層されると共に、前記基体の上面には、前記光波長変換層において波長が変換された第２の波長を有する光、及び前記光波長変換層を透過した第１の波長を有する光を反射する反射手段が形成されていることを特徴とする。
【００２２】
また、本発明の画像形成装置にあっては、導電性基体の上に電荷発生層、電荷輸送層が順に積層されており、前記電荷輸送層の内部には、発熱させる又は冷却することで、光を透過する透明な状態又は光を透過しない不透明な状態に繰り返し変化させることが可能な熱記録カプセルが分散されている像担持体と、画像情報に基づいて前記熱記録カプセルを、光を透過する透明な状態又は光を透過しない不透明な状態に変化させることで光学マスクを形成するマスク書き込み手段と、前記像担持体の表面を帯電する帯電部材と、前記光学マスクを介して前記電荷発生層に光を照射して露光を行う露光部材と、前記像担持体の表面に形成された静電潜像をトナー像として現像する現像部材と、前記像担持体の表面に形成されたトナー像をシート材に転写する転写部材と、を備えることを特徴とする。
【００２３】
また、本発明の画像形成装置にあっては、発熱させる又は冷却することで、光を透過する透明な状態又は光を透過しない不透明な状態に繰り返し変化させることが可能な熱記録層が設けられており、透明な基体の上に熱記録層、透明な導電層、電荷発生層、電荷輸送層が順に積層されている像担持体と、画像情報に基づいて前記熱記録層を、光を透過する透明な状態又は光を透過しない不透明な状態に変化させることで光学マスクを形成するマスク書き込み手段と、前記像担持体の表面を帯電する帯電部材と、前記像担持体の内部に備えられ、前記光学マスクを介して前記電荷発生層に光を照射して露光を行う露光部材と、前記像担持体の表面に形成された静電潜像をトナー像として現像する現像部材と、前記像担持体の表面に形成されたトナー像をシート材に転写する転写部材と、を備えることを特徴とする。
【００２４】
また、本発明の画像形成装置にあっては、発熱させる又は冷却することで、光を透過する透明な状態又は光を透過しない不透明な状態に繰り返し変化させることが可能な熱記録層と、電荷輸送層、電荷発生層、及び透明な導電層を透過する第１の波長を有する光の少なくとも一部を、前記電荷発生層に吸収される第２の波長を有する光に変換する光波長変換層と、が設けられており、基体の上に前記光波長変換層、前記熱記録層、前記透明な導電層、前記電荷発生層、前記電荷輸送層が順に積層されると共に、前記基体の上面には、前記光波長変換層において波長が変換された第２の波長を有する光、及び前記光波長変換層を透過した第１の波長を有する光を反射する反射手段が形成されている像担持体と、画像情報に基づいて前記熱記録層を、光を透過する透明な状態又は光を透過しない不透明な状態に変化させることで光学マスクを形成するマスク書き込み手段と、前記像担持体の表面を帯電する帯電部材と、前記像担持体の外側から前記第１の波長を有する光を照射する露光部材と、前記像担持体の表面に形成された静電潜像をトナー像として現像する現像部材と、前記像担持体の表面に形成されたトナー像をシート材に転写する転写部材と、を備えることを特徴とする。
【００２５】
また、本発明の潜像形成方法にあっては、画像情報に基づいて熱記録カプセルを透明な状態、不透明な状態にすることで光学マスクを形成し、電荷輸送層側から像担持体を均一に帯電させた後に、前記光学マスクを介して電荷発生層に光を照射して露光を行うことを特徴とする。
【００２６】
また、本発明の潜像形成方法にあっては、画像情報に基づいて熱記録層を透明な状態、不透明な状態にすることで光学マスクを形成し、電荷輸送層側から像担持体を均一に帯電させた後に、透明な基体側から電荷発生層に前記光学マスクを介して光を照射して露光を行うことを特徴とする。
【００２７】
また、本発明の潜像形成方法にあっては、画像情報に基づいて熱記録層を透明な状態、不透明な状態にすることで光学マスクを形成し、電荷輸送層側から像担持体を均一に帯電させた後に、電荷輸送層側から第１の波長を有する光を照射し、第１の波長を有する光の少なくとも一部を光波長変換層において第２の波長を有する光に変換し、変換された第２の波長を有する光を反射手段で反射させて電荷発生層を露光し、さらに、前記光波長変換層において第２の波長を有する光に変換されずに透過した第１の波長を有する光を、前記反射手段で反射させて前記光波長変換層に再び入射させ、第２の波長を有する光に変換した後、前記電荷発生層を露光することを特徴とする。
【発明の効果】
【００２８】
本発明によれば、解像力の高い潜像を形成することが可能な像担持体、それを備える画像形成装置、及び潜像形成方法を提供することが可能になる。
【発明を実施するための最良の形態】
【００２９】
以下に図面を参照して、この発明を実施するための最良の形態を、実施の形態に基づいて例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３０】
[第１の実施の形態]
図１〜図５を参照して、本発明の第１の実施の形態について説明する。
【００３１】
（画像形成装置の構成）
図３を参照して、本実施の形態に係る画像形成装置の構成について説明する。図３は、本実施の形態に係る画像形成装置において、像担持体として設けられる感光ドラム１と、その周辺部材の概略構成図である。
【００３２】
本実施の形態に係る画像形成装置は、図３中矢印方向に回転駆動する感光ドラム１と、感光ドラム１に当接して転写ニップ部を形成する転写ローラ５（転写部材）と、転写ニップ部にシート材を搬送する転写ベルト４と、を備える。
【００３３】
また、感光ドラム１の周囲には、コロナ帯電器２２（帯電部材）、セラミックヒータ２４、マスク書き込みヘッド２１（マスク書き込み手段）、露光ＬＥＤ２３（露光部材）、現像器３（現像部材）、クリーナ６が備えられる。
【００３４】
シート材に画像を形成する際は、まず、画像情報に応じてマスク書き込みヘッド２１から光を照射し、画像情報に応じた光学マスクを形成する。なお、光学マスクの形成プロセスは後に説明する。
【００３５】
画像情報に応じた光学マスクが形成されると、コロナ帯電器２２により感光ドラム１の表面が負に均一帯電される（帯電工程）。その後、露光ＬＥＤ２３が感光ドラム１の表面を長手幅全面にわたって露光することで、感光ドラム１の表面において、光学マスクを介して露光光が透過した部分の帯電電荷が消去される。
【００３６】
一方、感光ドラム１の表面において、光学マスクによって露光光が遮断された箇所の帯電電荷は保持される。すなわち、感光ドラム１の表面には画像情報に基づいた電荷分布が生じ、それにより静電潜像が形成される。
【００３７】
このように形成された静電潜像に現像器３から負電荷に帯電したトナーが供給され、静電潜像がトナー像として現像される。形成されたトナー像は、感光ドラム１と転写ローラ５のニップ部（転写ニップ部）において、不図示の給送トレイから給送されたシート材に転写される。なお、シート材上に転写されずに感光ドラム１の表面に残留したトナーは、クリーナ６によって回収される。
【００３８】
本実施の形態では、シート材は転写ベルト４に静電的に吸着されて図３中矢印方向に搬送され、トナー像を転写する際は、シート材を介して感光ドラム１側に正極性の電位をかけ、静電気力によって負電荷を持つトナー像をシート材上に転写する。
【００３９】
また、トナー像が転写されたシート材は、その後転写ベルト４から剥離され、不図示の定着器に搬送される。そして定着器内において加熱・加圧されることでトナー像をシート材上に定着させた後（定着工程）、不図示の排出トレイに排出される。
【００４０】
本実施の形態によれば、一旦画像情報に基づいて光学マスクを形成した後は、上記で説明した帯電工程から定着工程を繰り返すことで、同一の画像を何度もシート材に形成可能である。また、光学マスクを消去する場合は、光学マスクをセラミックヒータ２４によって加熱して徐冷することで光学マスクを消去することが可能である。
【００４１】
（感光ドラムの構成、及び光学マスクの形成プロセス）
図１、４を参照して、本実施の形態に係る感光ドラム１の構成、及び光学マスクの形成プロセスについて説明を行う。
【００４２】
図１は本実施の形態に係る感光ドラム１の断面の概略構成を示すものである。本実施の形態に係る感光ドラム１は、内周側から順に、アルミの押し出し管等で構成される導電性基体１４、電荷発生層１２、電荷輸送層１１が積層する層構造を有する。さらに、電荷輸送層１１の内部には、ロイコ染料とフェノール系長鎖型顕色剤をカプセル化した熱記録カプセル１５が分散される。なお、電荷を移動させる電荷輸送層１１と電荷を発生する電荷発生層１２とで光導電層が形成される。
【００４３】
各々の層の厚さは、導電性基体１４は１ｍｍ以下、電荷発生層１２は１μｍ以下、電荷輸送層１１は約２０μｍである。
【００４４】
熱記録カプセル１５は、発熱させる又は冷却することで、光を透過する透明な状態及び光を透過しない不透明な状態に繰り返し変化させることが可能である。本実施の形態では、電荷輸送層１１内の熱記録カプセルを発色、消色させることで、画像情報に基づいた光学マスクを形成する。以下、本実施の形態における光学マスクの形成プロセスについて説明する。
【００４５】
図４を参照して、上記で述べた熱記録カプセル１５が温度変化に応じて発色、消色するプロセスについて説明する。
【００４６】
まず、図４中（Ａ）の透明である常温消色状態から、（Ｂ）の溶融混合する状態まで熱記録カプセルを加熱すると、熱記録カプセルが発色して不透明な状態になる（光学濃度が上昇する）。この時、発色する変化点であるＴ１の温度は約９０℃である。
【００４７】
（Ｂ）の状態から徐冷していくと、熱記録カプセルは徐々に消色して元の透明状態に戻るが、急冷した場合は、さらに光学濃度が上昇して図４中（Ｃ）に示す不透明な発色状態に遷移する。
【００４８】
本実施の形態は、電荷輸送層１１に、（Ａ）の常温消色状態の部分と（Ｃ）の常温発色状態の部分を分けて形成することで、感光ドラム１の表面に画像情報に基づいた光学マスクを形成可能な構成を有する。
【００４９】
なお、（Ｃ）における常温発色状態は、溶融温度（本実施の形態では約９０℃）よりも低い温度である変化点Ｔ２の約７０℃以上に加熱すると、（Ｅ）の位置で消色して透明状態に遷移する。すなわち、このプロセスを感光ドラム１全体に行うことによって、感光ドラム１一旦形成された光学マスクパターンを消去することができる。
【００５０】
（潜像形成方法の説明）
図２（ａ）〜（ｅ）を参照して、感光ドラム１の表面に画像情報に応じた静電潜像を形成する方法について説明する。図２は、本実施の形態において、感光ドラム１の表面に光学マスクを形成してから静電潜像を形成するに至るまでのプロセスを模式的に示すものである。
【００５１】
図２（ａ）は光学マスク書き込み工程における感光ドラム１の状態を説明するものである。光学マスクを形成する際は、まず画像情報に基づいてマスク書き込みヘッド２１により電荷輸送層１１内の熱記録カプセル１５に光を照射する。なお、光学マスク書き込みの初期段階においては、熱記録カプセル１５は図４（Ａ）に示す常温消色状態である。
【００５２】
マスク書き込みヘッド２１は、不図示の半導体レーザー光源から出射される光を結像系であるレンズにて微細なスポット径に結像させるものである。光の照射は、画像が形成されるシート材上の白部分に相当する、トナーを供給しない部分にのみ行う。すなわち、画像が形成される部分には光を照射しないので、その部分は透明な消色状態が保たれる。
【００５３】
光が照射された熱記録カプセル１５は光を吸収して発熱し、図４中（Ｂ）に示す発色状態となる。また、光照射時間は短く、光が照射された照射部分１７は照射が終了すると実質的に熱記録カプセル１５が急冷された場合と同様になり、図４中の（Ｃ）に示す常温発色した不透明状態となる。以上より、感光ドラム１の表面には、画像が形成される部分が透明で、画像が形成されない部分（光が照射される部分）が不透明な光学マスクが形成される。
【００５４】
なお、本実施の形態におけるマスク書き込みヘッド２１は、約５μｍの微小なスポット径によって光を照射するものである。そしてこのスポット径は、光照射されてできる光学マスクの解像能力を決定するものである。
【００５５】
スポット径を小さくする（解像能力を上げる）ためには、結像系の所謂Ｆナンバーを小さくする必要がある。このマスク書き込みヘッド２１のレーザー光源は波長約６７０ｎｍの半導体レーザーである。この場合、５μｍのスポット径とするためにはＦナンバーは、ｄ≒１．７λＦの関係（ｄ：スポット径、λ：レーザー波長、Ｆ：Ｆナンバー）より算出すると、Ｆナンバー値＝４．４程度となる。
【００５６】
しかし、このＦナンバー値をポリゴンミラーなどによる走査光学系を用いた光走査方式で達成させる場合には、光学系そのものが巨大化してしまう。そこで本実施の形態では、小さなスポット径を現実的な大きさの装置で実現するために、ポリゴンミラー等による光走査方式では無く、光書き込みヘッド２１を機械的に走査させて露光する方式を採用した。
【００５７】
その結果、焦点距離を非常に短くでき、光学系の小型化を達成しつつ、所望のＦナンバーを得ることができた。上記で説明した図２（ａ）中において、矢印方向は機械走査の方向であって、感光ドラム１の長手方向と一致する。
【００５８】
一般的に、感光ドラム１全域を機械走査方式で光学マスクの書き込みを行うことは、光走査方式よりも通常時間がかかる。しかし、本実施の形態のように、光学マスク書き込みに時間がかかっても、後工程の全面露光では露光する光量を増やすことで露光工程以降の画像形成を高速とできるため、複数枚の同一の光学マスクから画像形成する場合は高速な画像出力も可能となる。
【００５９】
図２（ｂ）は、帯電工程を説明するもので、本実施の形態ではコロナ帯電器２２を用いて電荷輸送層１１表面全体を負に均一帯電させる。
【００６０】
図２（ｃ）は、露光工程を説明するもので、本実施の形態では露光ＬＥＤ２３を用いて、電荷発生層１２の吸収波長である６６０ｎｍ中心の波長の光で感光ドラム１の表面を長手全面に渡って露光する。
【００６１】
露光工程においては、上記で説明した光学マスクの光照射部分１７（発色した不透明な部分）では露光光は吸収されるので、光学マスクの下部にある電荷発生層１２から電荷は発生しない。
【００６２】
一方、消色している透明な部分（画像に相当する部分）は、露光光を透過するので、その下にある電荷発生層１２から電荷が発生し、ホールは電荷輸送層１１内で輸送されて電荷輸送層１１表面の負電荷を打ち消す。また、電子は電荷発生層１２より直ちに接地された導電性基体１４を通じて電荷発生層１２から消失する。
【００６３】
この工程によって光学マスクの透明部分（画像に相当する部分）を介して感光ドラム１表面に電荷分布が形成され、それにより、画像情報に応じた静電潜像が形成される。なお、マスク書き込み時の光照射と露光工程での露光では熱記録カプセル１５に加わる単位面積辺りのエネルギーに大きな差があり、露光工程の露光では熱記録カプセル１５の発色あるいは消色は生じない。
【００６４】
図２（ｄ）は、現像工程を説明するもので、この工程では現像器３によって負帯電させられたトナー３１が感光ドラム１に近接して感光ドラム１上の静電潜像に付着することで、静電潜像をトナー像として現像する。
【００６５】
なお、同一の光学マスクを用いる場合には、必要枚数のシート材に対して、図２（ｂ）〜図２（ｄ）、ならびに転写、定着の各工程が繰返し行われる。すなわち、画像情報に基づいていったん光学マスクを形成した後は、同一の画像を形成するにあたり、形成済みの光学マスクを使用すればよいので、画像形成の高速化を達成することができる。
【００６６】
また、画像データが切り替わり、光学マスクを書き換える必要がある場合には、図２（ｅ）のマスク消去工程を行う。マスク消去工程を行う際は、まず消色手段として設けられ
るセラミックヒータ２４によって感光ドラム１を図４中（Ｅ）の状態にまで熱する。
【００６７】
この場合、光学マスクの書き込み時とは異なり、感光ドラム１の長手全域を露光よりは長い時間で熱するため、感光ドラム１にある程度の熱が蓄積されて加熱後は徐冷される条件となるので、熱記録カプセルは消色して光学マスクが消去され透明状態となる。その後、図２（ａ）のマスク書き込み工程に戻って再び画像形成を行う。
【００６８】
（従来例との比較）
上記で説明した、本実施の形態に係る像担持体、それを備える画像形成装置、及び潜像形成方法と、従来例に関して、解像力における比較を行い、その比較結果を考察する。
【００６９】
従来例の像担持体の構成を本実施の形態に係る画像形成装置に適用した場合、感光ドラム１表面から、絶縁層であるサーモクロミック層の厚さだけ内部に電荷密度分布ができる。
【００７０】
このため、現像がなされる感光ドラム表面の電位分布が、この厚さ内部の電荷密度分布に影響されて、精細さ、すなわち解像力が低下する。本実施の形態と従来例の解像力の差を示すのが図５である。
【００７１】
図５は、本実施の形態と従来例の解像力の差だけを明らかにするために、電荷分布を理想的に電荷の有る無しとして同じ幅のライン状分布で与え、その空間周波数をパラメータとし、電位分布のコントラストを電界計算にて求めて比較したものである。
【００７２】
従来例は、電荷輸送層の厚みを２０μｍとし、表面絶縁層（サーモクロミック層）を１０μｍとして、空間周波数ＬＰ／ｍｍ（ＬＰはラインペア）とＣＴＦの関係を点線で示した。一方、本実施の形態では、電荷輸送層の厚みを２０μｍとし、空間周波数ＬＰ／ｍｍとＣＴＦの関係を実線で示した。なお、図５において空間周波数ＬＰ／ｍｍを横軸に、電位分布のコントラスト（ＣＴＦ）を縦軸にとってある。
【００７３】
図５に示されるように、空間周波数が増加するに伴ってコントラストの差は明らかとなり、特に３０ＬＰ／ｍｍという高解像度領域においては、従来例ではほとんどコントラストが無いことがわかる。
【００７４】
また、特に本実施の形態のように、マスク書き込みヘッド２１のような小スポット径によってマスク書き込みを行う系では、書き込まれた光学マスクを用いた露光工程後の電荷分布が非常に精細となる。よって、本実施の形態に係る感光ドラム１では、この電荷分布が精細であれば、従来例と比較して感光ドラム表面に生じる潜像の解像力を格段に高いものとすることが出来る。
【００７５】
以上説明したように本実施の形態に係る像担持体、それを備える画像形成装置、及び潜像形成方法では、解像力の高い潜像を形成することができると共に、この他にも以下の特徴がある。
（１）解像力の高い画像形成ができる。
（２）同一画像を複数枚画像形成する際に、高速で画像形成を行うことができる。
【００７６】
また、本実施の形態では、発色及び消色する熱記録カプセル１５を構成する物質として、ロイコ染料とフェノール系長鎖型顕色剤を用いたが、本発明における熱記録カプセル１５を構成する物質はこれに限られるものではない。
【００７７】
例えば、上記で挙げた物質の他に塩化ビニル−酢酸ビニル共重合体の熱可塑性高分子に
高級脂肪酸の長鎖分子を分散させた物質、あるいはコレステリック高分子液晶などを用いてもよい。これらの物質を用いる場合であっても、熱記録カプセルの発色及び消色プロセス条件に応じて光学マスク書き込みを行うことが可能であり、解像力の高い静電潜像を形成することが出来る。
【００７８】
また、本実施の形態では、熱記録カプセルの発色のための書き込みを光で行っているが、光学マスク書き込み手段として所謂サーマルヘッドを用いる構成であっても良い。その場合にはサーマルヘッドを制御することで消色工程にも使用できる。
【００７９】
また、本実施の形態では、光学マスクの消去をセラミックヒータ２４で行っているが、光学マスク書き込み工程と同様に、光照射で行っても良い。その際には光学マスク書き込みの際に用いられる小スポットではなく、数ｍｍ程度のスポット照射で行い、かつ光量も調整することで加熱−徐冷の消色条件を満たすように構成ればよい。
【００８０】
また、マスク書き込みヘッド２１を、露光ＬＥＤ２３の替わりのマスク露光手段として兼用して用いてもよい。この場合、露光を行う際は、マスク書き込みヘッド２１のレーザー光源の光量を小さくするように光量を制御すればよい。
【００８１】
また、本実施の形態では、画像形成装置として単色の画像を形成する装置について説明したが、本発明に係る画像形成装置はこれに限定されるものではない。例えば中間転写ベルトに沿ってトナーごとに像担持体を複数並べるタンデム方式のカラー画像形成装置であってもよい。
【００８２】
[第２の実施の形態]
図６、７を参照して本発明の第２の実施の形態に係る像担持体、それを備える画像形成装置、及び潜像形成方法について説明する。なお、画像形成装置の全体構成は上記第１の実施の形態と何ら異なるものではないので、その説明は省略し、ここでは本実施の形態に係る感光ドラムの構成の説明、潜像形成方法の説明を行う。
【００８３】
（感光ドラムの構成）
図６を参照して、本実施の形態に係る感光ドラム１０１の構成について説明する。本実施の形態に係る感光ドラム１０１は、内周側から順に、基体１１４、熱記録層１１５、透明な導電層１１８、電荷発生層１１２、電荷輸送層１１１が積層する層構造を有する。
【００８４】
基体１１４は、アクリル等から構成される透明性を有する層であり、厚さは３ｍｍ程度である。熱記録層１１５は、ロイコ染料とフェノール系長鎖型顕色剤を分散して構成され、厚さは約１０μｍである。透明な導電層１１８は、ＩＴＯ等から構成される層であり、厚さは１μｍ以下で接地される。
【００８５】
また、電荷発生層１１２と電荷輸送層１１１とで光導電層が形成され、電荷発生層１１２は厚さ１μｍ以下、電荷輸送層１１１は厚さ約２０μｍである。なお、熱記録層１１５で用いられるロイコ染料とフェノール系長鎖型顕色剤は、上記第１の実施の形態における熱記録カプセルの構成と同一のものである。よって、熱記録層１１５の発色、消色のメカニズムは上記第１の実施の形態における熱記録カプセルの発色、消色のメカニズムと同一であるので、その説明は省略する（図４参照）。
【００８６】
また、本実施の形態では、感光ドラム１０１の露光を行う露光ＬＥＤ２３を感光ドラム１０１の内部に設ける構成とした。すなわち、感光ドラム１０１の露光を行う際は、露光光は透明な基体１１４側（図６中下側）から電荷発生層１１２に向かって入射することになる。同様に、熱記録層１１５に光を照射して光学マスクを形成するマスク書き込みヘッ
ド２１も感光ドラム１０１の内部に設ける構成とした。
【００８７】
（潜像形成方法の説明）
図７（ａ）〜（ｃ）を参照して、本実施の形態に係る感光ドラム１０１の表面に画像情報に応じた静電潜像を形成する方法について説明する。図７は、本実施の形態において、光学マスクを形成してから静電潜像を形成するに至るまでのプロセスを模式的に示すものである。
【００８８】
図７（ａ）は光学マスク書き込み工程における感光ドラム１０１の状態を説明するものである。光学マスクを形成する際は、まず画像情報に基づいてマスク書き込みヘッド１２１が、感光ドラム１０１の基体側から基体１１４を透過させて熱記録層１１５に光を照射する。
【００８９】
マスク書き込みヘッド１２１は、不図示の半導体レーザー光源から出射される光を結像系であるレンズにて微細なスポット径に結像させるものである。光の照射は、画像が形成されるシート材上の白部分に相当する、トナーを供給しない部分にのみ行う。すなわち、画像が形成される部分には光を照射しない。
【００９０】
光が照射された光照射部分１１７は、照射が終了すると常温発色状態となる。これにより、感光ドラム１０１内の光導電層よりも下層側に画像情報に基づいた光学マスクが形成される。すなわち、露光ＬＥＤ２３と光導電層の間に光学マスクが介在する状態になる。
【００９１】
図７（ｂ）は、帯電工程を説明するもので、本実施の形態では第１の実施の形態と同様にコロナ帯電器２２によって電荷輸送層１１１表面を負に均一に帯電させる。
【００９２】
図７（ｃ）は、露光工程を説明するもので、感光ドラム１０１内部に設けられた露光ＬＥＤ２３によって、透明な基体１１４側から電荷発生層１１２の吸収波長である６６０ｎｍ中心の光を感光ドラム１０１の長手全面に渡って照射する。
【００９３】
この波長を有する光の大部分は、透明な導電層１１８を透過する。すなわち、光学マスクの発色していない部分から照射された光は、透明な導電層１１８を透過してその上層側にある電荷発生層１１２まで到達する。一方、光学マスクの発色している部分では、露光ＬＥＤ２３からの光が遮光されるので、その上層側にある電荷発生層１１２から電荷は発生しない。
【００９４】
そして電荷発生層１１２まで光が到達すると、電荷発生層１１２から電荷が発生し、ホールは電荷輸送層１１１を図中上方に輸送されて電荷輸送層１１１の表面の負電荷を打ち消して電荷分布が形成される。また、電子は電荷発生層１１２より、接地された透明な導電層１１８を通じて直ちに電荷発生層１１２から消失する。以上の工程によって熱記録層１１５の光学マスクを介して静電潜像が形成される。
【００９５】
この後の現像工程のプロセスは上記第１の実施の形態と異なるものではないので、その説明は省略する。また、本実施の形態おいては、マスク消去工程に用いられるヒータは、感光ドラム１０１内部に設ける構成であっても、感光ドラム１０１の外部に設ける構成であってもよい。また、マスク書き込み手段としてのマスク書き込みヘッド２１は、感光ドラム１０１の内部に備える構成としたが、感光ドラム１０１の外部に備える構成であってもよい。
【００９６】
また、感光ドラム１０１の内部にマスク書き込みヘッド２１を設ける場合は、マスク書き込みヘッド２１が露光手段を兼ねる構成であってもよい。
【００９７】
ここで、第１の実施の形態おいては、電荷輸送層の厚みと熱記録層の厚みが同じであり、かつ耐久性あるいは電荷輸送層の静電容量の観点より電荷輸送層の厚みは２０μｍ〜４０μｍ程度が望ましい。よって第１の実施の形態においては、熱記録層の厚みを小さくすることは困難であった。
【００９８】
それに比較して本実施の形態では、熱記録層の厚みを電荷輸送層とは別に設定することができる。本実施の形態に係る感光ドラム１０１によれば、電荷輸送層１１１の厚さに関わらず熱記録層１１５の厚さを任意に変更することが可能になる。
【００９９】
すなわち本実施の形態では、電荷輸送層１１１を約２０μｍに、熱記録層１１５を約１０μｍとした。例えば第１の実施の形態と比較すると、電荷輸送層１１１の厚みは同じであるものの、熱記録層１１５の厚さを小さくすることが可能になる。
【０１００】
このように熱記録層１１５の厚さを小さくすることが出来ることは、露光に用いる光学マスクの厚さを小さくできることである。よって本実施の形態では、光学マスクの厚さを小さくすることが出来るので、露光ＬＥＤ２３を用いる露光工程で光学マスクの厚みによる影が生じにくい。
【０１０１】
光学マスクの厚みによる影は、電荷発生層に対する光学マスクの像の先鋭さを劣化させる要因となることがわかっている。よって、本実施の形態に係る感光ドラム１０１によれば、より解像力の高い潜像を形成することができる。
【０１０２】
[第３の実施の形態]
図８、９を参照して本発明の第３の実施の形態に係る像担持体、それを備える画像形成装置、及び潜像形成方法について説明する。なお、画像形成装置の全体構成は上記第１の実施の形態と何ら異なるものではないので、その説明は省略し、ここでは本実施の形態に係る感光ドラムの構成の説明、潜像形成方法の説明を行う。
【０１０３】
（感光ドラムの構成）
図８を参照して、本実施の形態に係る感光ドラム２０１の構成について説明する。本実施の形態に係る感光ドラム２０１は、基体２１４の上に、光波長変換層２１９、熱記録層２１５、透明な導電層２１８、電荷発生層２１２、電荷輸送層２１１が順に積層する層構造を有する。
【０１０４】
基体２１４は、アルミ等から構成される層であり、厚さは１ｍｍ以下である。なお、基体２１４の上面には、鏡面状の反射面（反射手段）が形成されている。光波長変換層２１９は厚さ３０μｍであり、後に説明するが、例えば青色の光が入射すると波長を変換して赤色の光を発生させるものである。
【０１０５】
熱記録層２１５は、ロイコ染料とフェノール系長鎖型顕色剤を分散して構成される層である。なお、熱記録層１１５で用いられるロイコ染料とフェノール系長鎖型顕色剤は、上記第１の実施の形態における熱記録カプセルの構成と同一のものである。よって、熱記録層２１５の発色、消色のメカニズムは上記第１の実施の形態における熱記録カプセルの発色、消色のメカニズムと同一であるので、その説明は省略する（図４参照）。
【０１０６】
また、透明な導電層２１８はＩＴＯ等から構成される層であって接地されるように設けられる。また、電荷発生層２１２と電荷輸送層２１１とで光導電層が形成され、電荷発生層２１２の厚さは１μｍ以下、電荷輸送層２１１の厚さは２０μｍである。
【０１０７】
（潜像形成方法の説明）
図９（ａ）〜（ｃ）を参照して、本実施の形態に係る感光ドラム２０１の表面に画像情報に応じた潜像を形成する方法について説明する。図９は、本実施の形態において、光学マスクを形成してから静電潜像を形成するに至るまでのプロセスを模式的に示すものである。
【０１０８】
図９（ａ）は、光学マスク書き込み工程における感光ドラム２０１の状態を説明するものである。光学マスクを形成する際は、まず画像情報に基づいてマスク書き込みヘッド２２１が、電荷輸送層側から、電荷輸送層２１１、電荷発生層２１２及び透明な導電層２１８を透過させて熱記録層２１５に光を照射する。
【０１０９】
マスク書き込みヘッド２２１は、不図示の半導体レーザー光源から出射される光を結像系であるレンズにて微細なスポット径に結像させるものである。光の照射は、画像が形成されるシート材上の白部分に相当する、トナーを現像させない部分にのみ行う。すなわち、画像が形成される部分には光を照射しない。
【０１１０】
また、光学マスク書き込み工程に用いられる光として、波長４０５ｎｍ前後の青紫色光が用いられる。ポリカーボネートをバインダとして用いた電荷輸送層２１１、及び透明な導電層２１８は、この波長の青紫色光をおおよそ透過させる。
【０１１１】
また、本実施の形態においては、電荷発生層２１２にフタロシアニン系の電荷発生物質を用いることで青紫色光を大部分透過させることが可能である。これにより、マスク書き込みヘッド２２１から照射された光が熱記録層２１５に到達し、熱記録層２１５には、画像情報に基づいた光学マスクが形成される。
【０１１２】
図９（ｂ）は、帯電工程を説明するもので、本実施の形態では第１の実施の形態と同様にコロナ帯電器２２によって電荷輸送層２１１表面を負に帯電させる。
【０１１３】
図９（ｃ）は、露光工程を説明するもので、露光ＬＥＤ２３によって感光ドラム２０１外側（電荷輸送層側）から、感光ドラム２０１の長手全面に渡って、青色である４７０ｎｍ付近の第１の波長を有する光を照射する。この波長の光の大部分は、電荷輸送層２１１、電荷発生層２１２及び透明な導電層２１８を透過することができる。
【０１１４】
特に電荷発生層２１２においては、露光ＬＥＤ２３の青色光露光によって発生する電荷量は、後述する赤色光露光に比して小さいことが重要である。すなわち、第１の波長を有する青色光による露光では電荷分布が生じにくく、静電潜像が形成されないように構成される。
【０１１５】
上記各層を透過した青色光は、熱記録層２１５に到達する。そして第１、第２の実施の形態と同様に、発色している熱記録層部分では遮光され、消色している熱記録層部分のみ光が透過する。
【０１１６】
以下、説明の便宜上、光学マスクを介して熱記録層２１５を透過した光を励起光２３０と称する。励起光２３０は、熱記録層２１５の下層側にある光波長変換層２１９に到達する。この光波長変換層２１９は青色の励起光２３０が入射すると赤色である蛍光２３１（第２の波長を有する光）を発生する。すなわち、第１の波長を有する光の少なくとも一部は、光波長変換層２１９において第２の波長を有する光に変換される。変換されない第１の波長を有する光は、そのまま光波長変換層２１９を透過する。
【０１１７】
光波長変換層２１９から発生した赤色の蛍光２３１は、波長が６６０ｎｍ中心の光であ
る。この光波長変換層２１９は、青色の励起光の入射に対して赤色蛍光を生じる層であればよく、Ｅｕを添加したＧａＡｌＳｉＮ３蛍光体などを用いてもよい。
【０１１８】
励起光２３０のうち、光波長変換層２１９で第２の波長を有する光に変換されずに透過した光は、基体２１４の上面に形成される反射面でそのほとんどが鏡面反射され、再び、光波長変換層２１９に入射する。そして光波長変換層２１９において赤色の蛍光２３１に変換された後、熱記録層２１５側に進み、光学マスクを介して電荷発生層２１２を露光する。
【０１１９】
また、第２の波長を有する光に変換された赤色の蛍光２３１は、光波長変換層２１９から下層方向に進み、青色の励起光と同様に基体２１４の反射面でほとんどの部分が鏡面反射され、熱記録層２１５側に進み、光学マスクを介して電荷発生層２１２を露光する。
【０１２０】
すなわち本実施の形態では、光波長変換層２１９において第２の波長を有する光に変換されなかった光も、基体２１４の上面に形成される反射面で反射され、再び光波長変換層２１９に入射して波長の変換が行われるので、露光光の利用効率を高めることが出来る。
【０１２１】
電荷発生層２１２が露光されると、それによって生じたホールは電荷輸送層２１１を図９中上方に輸送されて電荷輸送層２１１表面の負電荷を打ち消す。なお、電子は電荷発生層２１２より、接地された透明導電体２１８を通じて電荷発生層２１２から直ちに消失する。この工程によって光学マスクを介して感光ドラム２０１表面に静電潜像が形成される。この後の現像工程のプロセスは上記第１の実施の形態と異なるものではないので、その説明は省略する。
【０１２２】
本実施の形態に係る感光ドラム２０１の構成によれば、感光ドラム２０１内部にマスク書き込みヘッド及び露光ＬＥＤを設ける必要がないので感光ドラム２０１の周辺を簡単な構成にすることができる。また、基体を透明にする必要もなく、光を反射させることが可能な材料であれば金属、多層膜が形成されることで反射率の高い樹脂等、様々なものを使用することが出来る。
【０１２３】
また、本実施の形態に係る画像形成装置によれば、簡単な装置構成で画像を出力することができる。特に感光ドラム２０１周辺の構成を簡易化することが出来るので、感光ドラム２０１の交換が容易となる。
【０１２４】
また、上記では、熱記録層２１５の発色部分によって露光ＬＥＤからの励起光２３０、及び波長変換された蛍光２３１を遮光するとして説明したが、励起光２３０の波長は透過するような熱記録物質によって熱記録層２１５を構成してもよい。
【０１２５】
また、マスク書き込みヘッドからの照射光及び露光ＬＥＤからの励起光を、近紫外域である３８０ｎｍ近辺の波長の光としてもよい。その場合には、電荷輸送層２１１及び電荷発生層２１２のバインダにアクリルを用いる、あるいはポリカーボネート等の添加物を加えて、この波長の光を大部分透過するような層として構成する必要がある。また、光波長変換層２１９に用いられる蛍光体には、前述の蛍光体が同様に用いることができるとともにそれに変えてＥｕを添加したＹ２Ｏ３を用いてもよい。
【０１２６】
また、本実施の形態では、基体２１４上面の反射面を鏡面状としたが、適度に表面を荒らした拡散面でもよい。この場合は基体上面で励起光、蛍光ともに拡散反射する。反射の条件としては正反射及び拡散反射の和が高いほど光の利用効率が高くなる。具体的には、正反射率に拡散反射率を加えた全反射率が励起光の波長において６０％以上となるものが望ましい。
【０１２７】
本実施の形態で用いられるアルミ製の基体２１４を分光光度計Ｕ−３３００（株式会社日立製作所製）に積分球付属装置を加えた測定装置にて測定したところ、全反射率が励起光の波長である第１の波長４７０ｎｍにおいて約８５％であった。
【０１２８】
なお、このアルミ製の基体２１４は、蛍光の波長である６６０ｎｍ中心の第２の波長においても約８０%以上の全反射率を示し光の利用効率が高い。一方、基体と光波長変換層
２１９の間に反射膜を備えてもよい。
【０１２９】
例えば非金属の基体にアルミあるいは銀の蒸着を行って励起光、蛍光の双方の波長ともに高い全反射率としてもよい。または、同様に非金属の基体に誘電体多層膜を蒸着して励起光である第１の波長においてほぼ１００％の全反射率となるよう構成してもよい。
【０１３０】
また、本実施の形態では、反射手段として基体２１４の上面に鏡面状の反射面を設ける構成としたが、基体２１４と光波長変換層２１９との間に、光を反射する機能を有する反射層を設ける構成であってもよい。
【図面の簡単な説明】
【０１３１】
【図１】第１の実施の形態に係る感光ドラムの断面における概略構成図
【図２】第１の実施の形態における潜像形成のプロセスを表す模式図
【図３】第１の実施の形態に係る画像形成装置の概略構成図
【図４】熱記録カプセルの発色、消色プロセスを示す図
【図５】第１の実施の形態と従来例の解像力に関する比較結果
【図６】第２の実施の形態に係る感光ドラムの断面における概略構成図
【図７】第２の実施の形態における潜像形成プロセスを表す模式図
【図８】第３の実施の形態に係る感光ドラムの断面における概略構成図
【図９】第３の実施の形態における潜像形成プロセスを表す模式図
【図１０】従来例に係る像担持体の断面における概略構成図
【図１１】従来例における潜像形成プロセスを表す図
【符号の説明】
【０１３２】
１    感光ドラム
１１  電荷輸送層
１２  電荷発生層
１４  基体
１５  熱記録カプセル
２１  マスク書き込みヘッド
２２  コロナ帯電器
２３  ＬＥＤ露光器
【図１】
2009134210.tif 000003
【図２】
2009134210.tif 000004
【図３】
2009134210.tif 000005
【図４】
2009134210.tif 000006
【図５】
2009134210.tif 000007
【図６】
2009134210.tif 000008
【図７】
2009134210.tif 000009
【図８】
2009134210.tif 000010
【図９】
2009134210.tif 000011
【図１０】
2009134210.tif 000012
【図１１】
2009134210.tif 000013